(57)【要約】【課題】エレベーター扉を開閉する過程でワイヤーが途切れてしまう場合、エレベーター扉が開扉されることを防ぐエレベーター扉開閉装置の提供。【解決手段】レールと、前記レールに沿って直線状に駆動する左扉開閉板と、前記レールに沿って直線状に駆動する右扉開閉板と、前記レールに設けられ、前記左扉開閉板と前記右扉開閉板との間に介装され、一方の側に第１の係止域が形成される第１の係止部と、前記右扉開閉板に設けられ、第２の係止域が形成される第２の係止部と、一方の側が前記左扉開閉板に回転自在に設けられ、他方の側に第１の係止爪と第２の係止爪が離間して形成される回転掛止金具と、を備え、前記左扉開閉板と前記右扉開閉板が前記レールに沿って中央付近に位置する場合、前記第１の係止爪は前記第１の係止域に密着されて前記左扉開閉板の固定状態を維持し、前記第２の係止爪は前記第２の係止域に挿入されて前記右扉開閉板の固定状態を維持することを特徴とするエレベーター扉開閉装置。【選択図】図１
2011173730.tif 000002
【特許請求の範囲】
【請求項１】
レールと、
前記レールに沿って直線状に駆動する左扉開閉板と、
前記レールに沿って直線状に駆動する右扉開閉板と、
前記レールに設けられ、前記左扉開閉板と前記右扉開閉板との間に介装され、一方の側に第１の係止域が形成される第１の係止部と、
前記右扉開閉板に設けられ、第２の係止域が形成される第２の係止部と、
一方の側が前記左扉開閉板に回転自在に設けられ、他方の側に第１の係止爪と第２の係止爪が離間して形成される回転掛止金具と、
を備え、
前記左扉開閉板と前記右扉開閉板が前記レールに沿って中央付近に位置する場合、前記第１の係止爪は前記第１の係止域に密着されて前記左扉開閉板の固定状態を維持し、前記第２の係止爪は前記第２の係止域に挿入されて前記右扉開閉板の固定状態を維持することを特徴とするエレベーター扉開閉装置。
【請求項２】
前記レールの中央付近に結合される第１の平板と、前記第１の平板に連設され、前記第１の平板において折り曲げられ、ボルト結合孔が穿設される第２の平板とを有するブラケットと、
前記ボルト結合孔にねじ込まれるボルトと、
をさらに備え、
前記第１の係止部は、前記ボルト結合孔と対応する位置に孔が穿設されて前記ボルトと螺合することを特徴とする請求項１に記載のエレベーター扉開閉装置。
【請求項３】
前記第１の係止部は平板状に形成され、前記第１の係止域は前記平板の一方の側端部が折り曲げられて斜面が形成されるように形成され、
前記第１の係止爪は一方の側端部に斜面が形成され、
前記左扉開閉板が前記レールの中央付近に移動時に前記第１の係止爪は斜面が前記第１の係止域の斜面に乗って摺動するように形成されることを特徴とする請求項１に記載のエレベーター扉開閉装置。
【請求項４】
前記第２の係止爪は、一方の側に斜面が形成されて前記第１の係止域の斜面と前記第２の係止部に乗って摺動して第２の結合域に挿入されることを特徴とする請求項３に記載のエレベーター扉開閉装置。
【発明の詳細な説明】
【技術分野】
【０００１】
本発明はエレベーター扉開閉装置に係り、さらに詳しくは、中央開閉式エレベーター扉においてエレベーター扉を開閉するエレベーター扉開閉装置に関する。
【背景技術】
【０００２】
エレベーター扉の上部に設けられてエレベーターの両側を開放するエレベーター扉開閉装置がある。
【０００３】
かようなエレベーター扉開閉装置は、エレベーターの上部に設けられ、左扉と右扉の開閉を司る開閉板にレール、ローラー、滑車を設け、滑車をワイヤー駆動により回転させつつ開閉板を動かすことにより、扉を開扉することとなる。
【０００４】
ところが、扉が開扉される過程でワイヤーが途切れてしまうと、扉は開扉されっ放しの状態で階数を移動することとなる。
【０００５】
このため、エレベーターを利用する者は極めて危険な状況に陥ってしまう。
【０００６】
この理由から、現状では、上記の危険な状況に陥ることを防ぐために安全装置を提供することが望まれる。
【発明の概要】
【発明が解決しようとする課題】
【０００７】
本発明の技術的課題は、エレベーター扉を開閉する過程でワイヤーが途切れてしまう場合、エレベーター扉が開扉されることを防ぐエレベーター扉開閉装置を提供するところにある。
【課題を解決するための手段】
【０００８】
上記の技術的課題を達成するために、本発明のエレベーター扉開閉装置は、レールと、前記レールに沿って直線状に駆動する左扉開閉板と、前記レールに沿って直線状に駆動する右扉開閉板と、前記レールに設けられ、前記左扉開閉板と前記右扉開閉板との間に介装され、一方の側に第１の係止域が形成される第１の係止部と、前記右扉開閉板に設けられ、第２の係止域が形成される第２の係止部と、一方の側に前記左扉開閉板が回転自在に設けられ、他方の側に第１の係止爪と第２の係止爪が離間して形成される回転掛止金具と、を備え、前記左扉開閉板と前記右扉開閉板が前記レールに沿って中央付近に位置する場合、前記第１の係止爪は前記第１の係止域に密着されて前記左扉開閉板の固定状態を維持し、前記第２の係止爪は前記第２の係止域に挿入されて前記右扉開閉板の固定状態を維持することを特徴とする。
【０００９】
この場合、前記エレベーター扉開閉装置は、前記レールの中央付近に結合される第１の平板と、前記第１の平板に連設され、前記第１の平板において折り曲げられ、ボルト結合孔が穿設される第２の平板とを有するブラケットと、前記ボルト結合孔にねじ込まれるボルトと、をさらに備え、前記第１の係止部は、前記ボルト結合孔と対応する位置に孔が穿設されて前記ボルトと螺合する。
【００１０】
また、前記第１の係止部は平板状に形成され、前記第１の係止域は前記平板の一方の側端部が折り曲げられて斜面が形成されるように形成され、前記第１の係止爪は一方の側端部に斜面が形成され、前記左扉開閉板が前記レールの中央付近に移動時に前記第１の係止爪は斜面が前記第１の係止域の斜面に乗って摺動するように形成される。
【００１１】
さらに、前記第２の係止爪は、一方の側に斜面が形成されて前記第１の係止域の斜面と前記第２の係止部に乗って摺動して第２の結合域に挿入される。
【発明の効果】
【００１２】
本発明は、エレベーター扉の開閉を司る左扉開閉板と右扉開閉板を移動させるワイヤーが途切れた状態でも、左扉開閉板と右扉開閉板が中央に固定された状態で位置するようにして誤作動状態でも扉が開扉されるといった現象を防止することにより、人命被害が発生しないように安定性を向上させるという効果がある。
【図面の簡単な説明】
【００１３】
【図１】本発明の一実施の形態によるエレベーター扉開閉装置の斜視図。
【図２】図１に示すエレベーター扉開閉装置の正面図。
【図３】図１に示すエレベーター扉開閉装置の左扉開閉板と右扉開閉板が所定距離離間して開放された状態の斜視図。
【図４】図３に示すエレベーター扉開閉装置の正面図。
【図５】図１に示す扉開閉装置の左扉開閉板と右扉開閉板付近の装置の分解斜視図。
【図６】図５の正面図。
【図７】図３に示す扉開閉装置の左扉開閉板と右扉開閉板付近の装置の分解斜視図。
【図８】図７の正面図。
【発明を実施するための形態】
【００１４】
以下、添付図面に基づき、本発明による実施の形態を詳述する。
【００１５】
以下では、本発明の一実施の形態によるエレベーター扉開閉装置をなす構成要素と、これらの構成要素間の結合関係およびこれらの構成要素の役割について説明する。
【００１６】
図１は、本発明の一実施の形態によるエレベーター扉開閉装置の斜視図であり、図２は、図１に示すエレベーター扉開閉装置の正面図である。図３は、図１に示すエレベーター扉開閉装置の左扉開閉板と右扉開閉板が所定距離離間して開放された状態の斜視図である。図４は、図３に示すエレベーター扉開閉装置の正面図である。図５は、図１に示す扉開閉装置の左扉開閉板と右扉開閉板付近の装置の分解斜視図である。図６は、図５の正面図であり、図７は、図３に示す扉開閉装置の左扉開閉板と右扉開閉板付近の装置の分解斜視図であり、そして図８は、図７の正面図である。
【００１７】
図１から図８に示すように、本発明の一実施の形態によるエレベーター扉開閉装置は、レール１０、左扉開閉板２０、右扉開閉板３０、第１の係止部４０、第２の係止部５０および回転掛止金具６０を備える。
【００１８】
また、本発明の一実施の形態によるエレベーター扉開閉装置は、ブラケット７０と、ボルト８０およびリレー接触子９０をさらに備える。
【００１９】
前記レール１０は、中央付近に直線状にガイド１１が形成される。また、レール１０には両側に滑車１２が設けられ、滑車にはワイヤー（図示せず）が巻取される。この場合、ワイヤー（図示せず）は、左扉開閉板２０の背面に形成される滑車（図示せず）と、右扉開閉板３０の背面に形成される滑車（図示せず）に巻取され、ワイヤーが滑車に乗って回転する場合に左扉開閉板２０と右扉開閉板３０をレール１０の中央に引き寄せたりレール１０の両側に広げたりする。なお、レール１０にはワイヤーを回転駆動させるモーター（図示せず）がさらに取り付けられる。
【００２０】
前記左扉開閉板２０は多孔の平板状に形成され、レール１０のガイド１１に沿って直線状に駆動する。ここで、左扉開閉板２０は下部にエレベーター左扉（図示せず）が設けられて左扉開閉板２０がレール１０に沿って左側に移動する場合にエレベーターの左扉を開扉する役割を果たす。
【００２１】
前記右扉開閉板３０は多孔の平板状に形成され、レール１０のレールに沿って直線状に駆動する。ここで、右扉開閉板３０は下部にエレベーター右扉（図示せず）が設けられて右扉開閉板３０がレール１０に沿って右側に移動する場合にエレベーターの右扉を開扉する役割を果たす。
【００２２】
前記第１の係止部４０はレール１０の中央付近に設けられる。この場合、第１の係止部４０は左扉開閉板２０と右扉開閉板３０との間に介装されるが、第１の係止部４０は一方の側に第１の係止域４１を形成する。この第１の係止部４０は平板状に形成され、第１の係止域４１は平板の一方の側端部が折り曲げられて斜面が形成されるように形成される。ここで、第１の係止域４１の斜面は第１の係止部４０の端部が折り曲げられて内角が約３０°になるように形成される。この場合、第１の係止域４１は回転掛止金具６０の第１の係止爪６２が引っかかるようにして左扉開閉板２０を固定する役割を果たす。
【００２３】
前記第２の係止部５０は右扉開閉板３０に設けられ、第２の係止域５１が形成される。この第２の係止域５１は孔状に形成されてもよい。ここで、第２の係止部５０は胴体部の一部が折り曲げられ、折り曲げられた個所が第２の係止部５０とボルト結合される。
【００２４】
前記回転掛止金具６０は一方の側が前記左扉開閉板２０に回転自在に設けられる。この場合、回転掛止金具６０は中心軸６１を基準として左扉開閉板２０において回転する。また、回転掛止金具６０は他方の側に第１の係止爪６２と第２の係止爪６３が離間して形成される。ここで、第１の係止爪６２は一方の側の端部に斜面６２ａが形成される。この場合、左扉開閉板２０がレール１０の中央付近に移動時に第１の係止爪６２は斜面６２ａが第１の係止域４１の斜面に乗って摺動して第１の係止域４１の先端部に引っかかる。これにより、左扉開閉板２０は第１の係止爪６２が第１の係止域４１に引っかかって固定された状態を維持する。
【００２５】
また、第２の係止爪６３は一方の側に斜面６３ａが形成されて第１の係止域４１の斜面と第２の係止部５０に乗って摺動して第２の係止域５１に挿入される。すると、右扉開閉板３０は第２の係止域５１に引っかかって固定された状態を維持する。
【００２６】
前記ブラケット７０は、第１の平板７１と、第２の平板７２とを備える。
【００２７】
前記第１の平板７１はレール１０の中央付近に結合される。この場合、第１の平板７１とレール１０との結合はボルト８０により行われる。
【００２８】
前記第２の平板７２は第１の平板７１に連設され、第１の平板７１において直角に折り曲げられ、ボルト結合孔が穿設される。
【００２９】
前記ボルト８０はボルト結合孔にねじ込まれる。この場合、前記第１の係止部４０は前記ボルト結合孔と対応する位置に孔が穿設されてボルト８０と螺合する。
【００３０】
前記リレー接触子９０はレール１０の中央付近に設けられる。この場合、リレー接触子９０は両側に接触点９１を備え、左扉開閉板２０と右扉開閉板３０に設けられる接触点２０ａ、３０ａと当接する場合の接触の有無を検出する。このリレー接触子９０は左扉開閉板２０と右扉開閉板３０が中央に位置することを判別してエレベーター扉が閉扉された状態に関する情報をエレベーター制御システム（図示せず）に伝える役割を果たす。
【００３１】
以下、本発明の一実施の形態によるエレベーター扉開閉装置の駆動について説明する。
【００３２】
最初に、エレベーターは、これを利用する者によって所望の階数に達した場合、左扉開閉板２０と右扉開閉板３０が、図１に示すように、閉扉状態にあり、図３に示すように、左扉開閉板２０と右扉開閉板３０がレール１０に沿って開扉されてエレベーター左扉（図示せず）と右扉（図示せず）を開扉する。エレベーター扉が再び閉扉される場合、回転掛止金具６０は中心軸６１を基準として回転し、左扉開閉板２０と右扉開閉板３０の固定状態を解放する。
【００３３】
この過程で、左扉開閉板２０と右扉開閉板３０が閉扉された状態を詳述すると、まず左扉開閉板２０と右扉開閉板３０はレール１０に沿って中央付近に位置する場合、回転掛止金具６０の第２の係止爪６３は第１の係止部４０の斜面に乗って摺動して第２の係止域５１に挿入される。このとき、回転掛止金具６０は中心軸６１を基準としてわずかな回転をする駆動をする。すると、右扉開閉板３０は回転掛止金具６０の第２の係止爪６３と第２の係止域５１との結合により固定状態を維持する。
【００３４】
これと同時に、回転掛止金具６０の第１の係止爪６２は第１の係止部４０の斜面に乗って摺動して第１の係止域４１に密着される。この場合、左扉開閉板２０は固定状態を維持する。
【００３５】
すなわち、エレベーター扉が閉扉された状態では、左扉開閉板２０が回転掛止金具６０の第２の係止爪６３が第２の係止域５１に結合されて固定された状態を維持し、右扉開閉板３０が回転掛止金具６０の第１の係止爪６２が第１の係止域４１に結合されて固定された状態を維持する。
【００３６】
ここで、本発明の一実施の形態によるエレベーター扉開閉装置は、左扉開閉板２０と右扉開閉板３０を移動させるワイヤー（図示せず）が途切れた状態でも、左扉開閉板２０と右扉開閉板３０が中央に固定された状態で位置するようにして誤作動状態でも扉が開扉される現象を防ぐことにより、人命被害が発生しないように安定性を向上させる。
【符号の説明】
【００３７】
１０：レール
２０：左扉開閉板
３０：右扉開閉板
４０：第１の係止部
５０：第２の係止部
６０：回転掛止金具
７０：ブラケット
８０：ボルト
９０：リレー接触子
【図２】
2011173730.tif 000003
【図３】
2011173730.tif 000004
【図４】
2011173730.tif 000005
【図５】
2011173730.tif 000006
【図６】
2011173730.tif 000007
【図７】
2011173730.tif 000008
【図８】
2011173730.tif 000009
【図１】
2011173730.tif 000010